(57)【要約】  正面視略コ字状をなす連結具本体の外周面に面ファスナーの係合要素を備えるだけでなく、連結具本体の内周面に対して被着体を容易に着脱できるようにすること。  連結具（１）は、正面視略コ字状の連結具本体（２）と、連結具本体（２）の正面視略コ字状の外周面から突出する少なくとも一つの係合要素（６）と、前記正面視略コ字状の内周面から突出する多数の雄要素（６）からなる面ファスナーの内側雄要素群（４）とを備え、前記連結具本体（２）と前記内側雄要素群（４）とを一体成型してある。被着体（８）は、多数の雌要素（９）からなる面ファスナーの雌要素群（９ａ）を表裏面に備える。そして前記連結具（１）は、前記被着体（８）の端部における表裏面を挟む状態で装着され、前記内側雄要素群（４）を前記被着体（８）の雌要素群（９ａ）に係合させて連結する。
2014196005.tif 000002
【特許請求の範囲】
【請求項１】
正面視略コ字状の連結具本体（２）と、
前記連結具本体（２）の前記正面視略コ字状の外周面から突出する係合要素（６、９）と、
前記正面視略コ字状の内周面から突出する多数の雄要素（６）からなる面ファスナーの内側雄要素群（４）とを備える連結具（１）であって、前記連結具本体（２）と前記内側雄要素群（４）とを一体成型してある連結具（１）と、
多数の雌要素（９）からなる面ファスナーの雌要素群（９ａ）を備える被着体（８）とを備え、
前記連結具（１）は、前記被着体（８）の端部における表裏面を挟む状態で装着され、前記内側雄要素群（４）を前記被着体（８）の雌要素群（９ａ）に係合させて連結することを特徴とする被着体と連結具との連結構造。
【請求項２】
前記被着体（８）はその表裏面に前記雌要素群（９ａ）を備え、
前記連結具（１）は、前記連結具本体（２）と、前記連結具本体（２）の前記正面視略コ字状の外周面から突出する多数の前記係合要素（６）としての雄要素（６）からなる面ファスナーの外側雄要素群（３）と、前記内側雄要素群（４）とを備えると共に、前記連結具本体（２）と前記外側雄要素群（３）と前記内側雄要素群（４）とを一体成型してあることを特徴とする請求項１記載の被着体と連結具との連結構造。
【請求項３】
正面視略コ字状の連結具本体（２）と、
前記連結具本体（２）の前記正面視略コ字状の外周面から突出する係合要素（６、９）と、
前記正面視略コ字状の内周面から突出する多数の雄要素（６）からなる面ファスナーの内側雄要素群（４）とを備え、
前記連結具本体（２）と前記内側雄要素群（４）とを一体成型してあることを特徴とする連結具。
【請求項４】
前記連結具本体（２）と、前記連結具本体（２）の前記正面視略コ字状の外周面から突出する多数の前記係合要素（６）としての雄要素（６）からなる面ファスナーの外側雄要素群（３）と、前記内側雄要素群（４）とを備えると共に、前記連結具本体（２）と前記外側雄要素群（３）と前記内側雄要素群（４）とを一体成型してあることを特徴とする請求項３記載の連結具。
【請求項５】
略平行な第１の面板（２１）及び第２の面板（２２）と、前記第１の面板（２１）と前記第２の面板（２２）の同じ側の端部を連結する接合部（２３）とから正面視略コ字状を形作る連結具本体（２）と、
前記正面視略コ字状の外周面であって前記第１の面板（２１）と前記第２の面板（２２）との少なくとも一方の外面から突出する係合要素（６、９）と、
前記正面視略コ字状の内周面であって前記第１の面板（２１）と前記第２の面板（２２）との少なくとも一方の内面から突出する多数の雄要素（６）からなる面ファスナーの内側雄要素群（４）とを備えることを特徴とする請求項３又は４記載の連結具。
【請求項６】
前記内側雄要素群（４）は、第１の面板（２１）の内面から突出する多数の雄要素（６）からなる第１の内側雄要素群（４１）と、第２の面板（２２）の内面から突出する多数の雄要素（６）からなる第２の内側雄要素群（４２）とを備えることを特徴とする請求項５記載の連結具。
【請求項７】
前記接合部（２３）は、少なくとも一部にヒンジ部（２５）を備え、
前記ヒンジ部（２５）は、前記接合部（２３）を中心にして前記第１の面板（２１）と前記第２の面板（２２）とを開閉可能にすると共に、前記第１の面板（２１）と前記接合部（２３）と前記第２の面板（２２）とを一列に並べた状態で前記連結具本体（２）と前記外側雄要素群（３）と前記内側雄要素群（４）とを一体成型することを可能とすることを特徴とする請求項５又は６記載の連結具。
【請求項８】
前記第１の面板（２１）と前記第２の面板（２２）との少なくとも一方には反対側の面板へ向かって突出するストッパー（２９）を、前記正面視略コ字状の開口方向とは反対側の端部に備えることを特徴とする請求項７記載の連結具。
【請求項９】
前記連結具本体（２）は、弾性部材であって、正面視した場合に平時には略コ字状であり、
平面視した場合には、前記第１の内側雄要素群（４１）の形成領域と、前記第２の内側雄要素群（４２）の形成領域とが分かれていること特徴とする請求項６記載の連結具。
【請求項１０】
前記連結具本体（２）の前記接合部（２３）から前記正面視略コ字状の開口方向とは異なる方向へ突出する操作部（５）を備えることを特徴とする請求項５〜９の何れかに記載の連結具。
【発明の詳細な説明】
【技術分野】
【０００１】
本発明は、係合要素を外面に備える連結具の内面側に被着体（例えばストラップの端部や、衣服用の合わせ目）を連結するための被着体と連結具の連結構造、及び連結具に関する。
【背景技術】
【０００２】
例えば人体の関節に障害がある場合に、その関節の可動範囲を制限するための矯正具が存在する。矯正具は、関節の付近に当てる矯正本体部と、矯正具本体部を人体に固定するための複数組の一対のストラップとを備えるものである。各組の一対のストラップ同士を連結するために、被着体としての一方のストラップの端部には多数の係合要素を外面に備える連結具が取り付けられ、他方のストラップには連結具の係合要素に係止するための多数の被係合要素が取り付けられている。また衣服の一対の合わせ目を留めるために、被着体としての片方の合わせ目には係合要素を外周面に備える連結具が取り付けられ、他方の合わせ目が連結具に係止するための被係合要素として機能するものが存在する。【０００３】
このような連結具の具体的な従来例として、正面視略コ字状（断面略コ字状又はＪ字状）の連結具本体と、連結具本体の開口方向とは反対方向に突出する操作部と、連結具本体の上面に一体成形された多数の係合要素とを備えるものが存在する（特許文献１、２）。この連結具は、連結具本体の内側に被着体を収容すると共に、連結具本体と被着体とを縫着や接着することにより、被着体に対して取り付けられていた。【０００４】
また連結具の他の従来例として、コ字状に屈曲可能な連結具本体としての基布と、基布の外面に取り付けられた面ファスナーと称する多数の係合要素とを備えるものも存在する（特許文献３）。この連結具も、略コ字状に屈曲させた連結具本体の内側には被着体としてのテープ等の端部を収容し、連結具本体をテープ等に縫着することにより、被着体に対して取り付けられていた。
【先行技術文献】
【特許文献】
【０００５】
【特許文献１】特開平９−７５１１３号公報
【特許文献２】特許第３４７４７９１号公報
【特許文献３】特開平７−１９４４１３号公報
【発明の概要】
【発明が解決しようとする課題】
【０００６】
つまり上記した従来の連結具は、その内側に収容する被着体に対して縫着や接着により取り付けられているので、取り付け作業が煩雑であった。また従来の連結具では、一旦取り付けられると、取り外すことは、大変な困難を伴うので、普通行わないのが一般的である。【０００７】
本発明は上記実情を考慮して創作されたものであり、その目的は、正面視略コ字状をなす連結具本体の外周面に係合要素を備えるだけでなく、連結具本体の内周面に対して被着体を容易に着脱することのできる被着体と連結具との連結構造及び連結具を提供することを目的とする。
【課題を解決するための手段】
【０００８】
本発明の被着体と連結具との連結構造は、連結具と、被着体とを備えている。
連結具は、正面視略コ字状の連結具本体と、連結具本体の正面視略コ字状の外周面から突出する係合要素と、正面視略コ字状の内周面から突出する多数の雄要素からなる面ファスナーの内側雄要素群とを備える。また連結具は、連結具本体と内側雄要素群とを一体成型してある。
被着体は、多数の雌要素からなる面ファスナーの雌要素群を備える。
そして連結具は、被着体の端部における表裏面を挟む状態で装着され、内側雄要素群を被着体の雌要素群に係合させて連結することを特徴とする。【０００９】
また係合要素が設けられる連結具本体の外周面に対して被着体を容易に着脱すると共に、連結具の成形を容易にするには、次のようにすることが望ましい。
すなわち被着体はその表裏面に前記雌要素群を備えるものとする。また連結具は、連結具本体と、連結具本体の正面視略コ字状の外周面から突出する多数の係合要素としての雄要素からなる面ファスナーの外側雄要素群と、内側雄要素群とを備えると共に、連結具本体と外側雄要素群と内側雄要素群とを一体成型してあることである。【００１０】
次に本発明の連結具について述べる。本発明の連結具は、前記したように、正面視略コ字状の連結具本体と、連結具本体の正面視略コ字状の外周面から突出する係合要素と、正面視略コ字状の内周面から突出する多数の雄要素からなる面ファスナーの内側雄要素群とを備え、連結具本体と内側雄要素群とを一体成型してあることを特徴とする。【００１１】
また係合要素が設けられる連結具本体の外周面に対して被着体を容易に着脱すると共に、連結具の成形を容易にするには、次のようにすることが望ましい。
すなわち、連結具は、連結具本体と、連結具本体の正面視略コ字状の外周面から突出する多数の係合要素としての雄要素からなる面ファスナーの外側雄要素群と、内側雄要素群とを備えると共に、連結具本体と外側雄要素群と内側雄要素群とを一体成型してあることである。【００１２】
さらに連結具のより具体的な構成の一例としては、次のものがある。
すなわち連結具は、略平行な第１の面板及び第２の面板と、第１の面板と第２の面板の同じ側の端部を連結する接合部とから正面視略コ字状を形作る連結具本体と、正面視略コ字状の外周面であって第１の面板と第２の面板との少なくとも一方の外面から突出する係合要素と、正面視略コ字状の内周面であって第１の面板と第２の面板との少なくとも一方の内面から突出する多数の雄要素からなる面ファスナーの内側雄要素群とを備えるものである。【００１３】
また内側雄要素群は、正面視略コ字状の内周面から突出していれば良く、例えば第１の面板と第２の面板の一方にのみ突出するものであっても良いが、被着体に対してより強固に連結するには次のようにすることが望ましい。
すなわち内側雄要素群は、第１の面板の内面から突出する多数の雄要素からなる第１の内側雄要素群と、第２の面板の内面から突出する多数の雄要素からなる第２の内側雄要素群とを備えることである。【００１４】
また連結具は、その形態を変形可能なものとして、以下のものがある。
すなわち接合部は、少なくとも一部にヒンジ部を備えるものとする。そしてヒンジ部は、接合部を中心にして第１の面板と第２の面板とを開閉可能にすると共に、第１の面板と接合部と第２の面板とを一列に並べた状態で連結具本体と外側雄要素群と内側雄要素群とを一体成型することを可能とすることである。【００１５】
さらに連結具は、正面視略コ字状の連結具本体の内周面には内側雄要素群のみを備えるものであっても良いが、連結具本体の内周面に被着体を位置決めして収容するには次のようにすることも可能である。
すなわち連結具は、第１の面板と第２の面板との少なくとも一方には反対側の面板へ向かって突出するストッパーを、正面視略コ字状の開口方向とは反対側の端部に備えることである。【００１６】
また連結具は、その形態を殆ど変形不能なものとして、以下のものがある。
すなわち連結具本体は、弾性部材であって、正面視した場合に平時には略コ字状であり、平面視した場合には、前記第１の内側雄要素群の形成領域と、前記第２の内側雄要素群の形成領域とが分かれているものである。【００１７】
さらに連結具は、連結具本体の外周面であって接合部の外面には何も備えていない構成であっても良いが、連結具を取扱い易くするには次のようにすることが望ましい。
すなわち連結具は、連結具本体の接合部から正面視略コ字状の開口方向とは異なる方向へ突出する操作部を備えることである。
【発明の効果】
【００１８】
本発明の被着体と連結具との連結構造、及び本発明の連結具によれば、連結具本体の内周面に備わる面ファスナーとしての内側雄要素群により、面ファスナーの雌要素群を備える被着体を連結具の内側へ着脱する作業が従来に比べて容易に行える。また連結具本体の外周面に備わる係合要素により、別の被着体へ取り付けることもできる。しかも連結具本体と内側雄要素群とを一体成型してあるので、連結具の成形も容易である。【００１９】
また被着体の表裏面に前記雌要素群を備え、連結具本体の正面視略コ字状の外周面には多数の係合要素としての雄要素からなる面ファスナーの外側雄要素群を突出するものとすれば、連結具本体の外周面に対して被着体を着脱する作業が容易に行える。しかも連結具本体と外側雄要素群と内側雄要素群とを一体成型してあるので、連結具の成形も容易である。【００２０】
さらに連結具は、略平行な第１の面板及び第２の面板と、第１の面板と第２の面板とを連結する接合部とから連結具本体を正面視略コ字状を形作るものとし、第１の面板と第２の面板の少なくとも一方の内面には内側雄要素群を備えているものであれば、雌要素群を備える被着体を連結具本体の内側へ着出する作業が容易に行える。【００２１】
また連結具は、内側雄要素群が、第１の面板の内面から突出する第１の内側雄要素群と、第２の面板の内面から突出する第２の内側雄要素群とを備えるものであれば、連結具の内側を被着体により強固に連結することができる。【００２２】
さらに連結具は、接合部が少なくとも一部にヒンジ部を備えているものであれば、第１の面板と接合部と第２の面板とを一列に並べた状態で連結具を一体成型し、正面視略コ字状とした状態の連結具の内側に被着体を連結することができる。【００２３】
また連結具は、第１の面板と第２の面板との少なくとも一方にはストッパーを備えるものであれば、被着体の端面をストッパーで位置決めして、連結具の内側に被着体を連結することができる。【００２４】
さらに連結具は、連結具本体が、弾性部材であって、正面視した場合に平時には略コ字状をなすものであれば、弾性によって略コ字状の開口幅を一時的に変更することにより、略コ字状の内側に被着体を連結できる。しかも平面視した場合には、第１の内側雄要素群の形成領域と、第２の内側雄要素群の形成領域とが分かれているので、連結具を一体成型することもできる。【００２５】
また、連結具は、連結具本体の接合部から正面視略コ字状の開口方向とは異なる方向へ突出する操作部を備えるものであれば、連結具が取り扱いやすくなる。
【図面の簡単な説明】
【００２６】
【図１】本発明の第一実施形態の連結具を被着体に連結している状態を示す斜視図である。
【図２】第一実施形態の連結具の成形時の形態を示す平面図である。
【図３】図２の正面図である。
【図４】図２の下面図である。
【図５】図２の左側面図である。
【図６】図４のVI-VI線切断部の断面形状のみを示す端面図である。
【図７】第一実施形態の連結具の使用状態を示す拡大正面図である。
【図８】雄要素群の一例を示す拡大斜視図である。
【図９】第一実施形態の変形例を示す下面図である。
【図１０】図９のX-X線切断部の断面形状のみを示す端面図である。
【図１１】本発明の第二実施形態の連結具における成型時の形態を示す平面図である。
【図１２】図１１の正面図である。
【図１３】図１１の下面図である。
【図１４】図１１のXIV-XIV線切断部の断面形状のみを示す端面図である。
【図１５】第二実施形態の連結具を被着体に連結している状態を示す拡大正面図である。
【図１６】本発明の第三実施形態の連結具における成型時の形態を示す平面図である。
【図１７】図１６の正面図である。
【図１８】図１６の下面図である。
【図１９】第三実施形態の連結具を被着体に連結している状態を示す拡大正面図である。
【図２０】本発明の第四実施形態の連結具の形態を示す平面図である。
【図２１】図２０の正面図である。
【図２２】図２０の下面図である。
【図２３】図２０のXXIII-XXIII線切断部の断面図である。
【図２４】第四実施形態の連結具を被着体に連結している状態を示す平面図である。
【図２５】本発明の連結具の使用状態を示す説明図である。
【図２６】本発明の連結具の使用状態を示す説明図である。
【図２７】本発明の連結具の使用状態を示す説明図である。
【図２８】本発明の連結具の使用状態を示す説明図である。
【図２９】本発明の連結具の使用状態を示す説明図である。
【発明を実施するための形態】
【００２７】
本発明の第１実施形態の連結具１は、図１に示すように、連結具１としての骨格部分を構成する連結具本体２と、連結具本体２の一形態すなわち取付け時の形態としての正面視略コ字状の外周面から突出する多数の係合要素６（図示の例では係合要素は雄要素６である。）からなる面ファスナーの外側雄要素群３と、正面視略コ字状の内周面から突出する多数の雄要素６からなる面ファスナーの内側雄要素群４と、連結具本体２から正面視略コ字状の開口方向とは異なる方向へ突出する操作部５とを備えるものである。より詳しく言えば、外側雄要素群３は、正面視略コ字状の外周面のうち略平行な２つの面の一方から突出し、内側雄要素群４は、正面視略コ字状の内周面のうち略平行な２つの面の両方から突出している。以後、連結具１の各構成要素については、特段断りがない限りは、取付け時の形態である正面視コ字状を基本的形態として説明するものとする。
【００２８】
図１〜図７に示す連結具本体２は、略平行な第１の面板２１及び第２の面板２２と、第１の面板２１と第２の面板２２の同じ側の端部を連結する接合部２３とを備える。より詳しく言えば、第１の面板２１と第２の面板２２とは対向する状態に配置されている。なお方向性については、この基本的形態を基準として、第１の面板２１と第２の面板２２との対向する方向を上下方向、より詳しく言えば両面板２１，２２の相対的な関係では第１の面板２１側を上方向、第２の面板２２側を下方向とする。また正面視略コ字状の開口方向を右方向、開口の深さ方向を左方向とする。さらに第１の面板２１の一辺と接合部２３の一辺とが繋がっている長さ方向を前後方向とし、図７の紙面の手前側を後方向、図７の紙面の奥側を前方向として以後説明する。
【００２９】
連結具１の成型時の形態は、図２〜図６に示すように、第１の面板２１と接合部２３と第２の面板２２とを一列に並べた状態である。連結具本体２の形態は取付け時と成型時とで異なっており、その形態の変化を可能とするために、接合部２３が設けられている。
【００３０】
前記接合部２３は、第１の面板２１と第２の面板２２との対向する方向である上下方向に延びる中板２４と、中板２４の上端部と第１の面板２１及び中板２４の下端部と第２の面板２２とをそれぞれ接続する一対のヒンジ部２５，２５とを備えている。中板２４と一対のヒンジ部２５，２５とは何れも第１の面板２１及び第２の面板２２の接合部２３側の辺の全長に亘って（前後方向の全長に亘って）延びている。
これら一対のヒンジ部２５，２５は正面視略円弧状となっており、一対の円弧の膨らむ方向は一対のヒンジ部２５の間隔が離れる方向となっている。より詳しく言えば上側のヒンジ部２５の円弧は上側に膨らみ、下側のヒンジ部２５の円弧は下側に膨らんでいる。また各ヒンジ部２５は、円弧状に湾曲する形態と一直線に延びる形態との変形を可能とする肉厚であり、第１の面板２１と第２の面板２２の肉厚よりも薄く形成されている。
一対のヒンジ部２５，２５は、中板２４に対して第１の面板２１と第２の面板２２とを屈曲可能に連結しており、言い換えれば接合部２３は、第１の面板２１と前記第２の面板２２とを屈曲可能に連結してある。それゆえヒンジ部２５は、接合部２３（中板２４）を中心にして第１の面板２１と第２の面板２２とは開閉可能にする。すなわち両方の面板２１，２２の先端部（接合部２３から遠い方の端部）が離隔したり接近したりすることが可能となる。
【００３１】
操作部５は、接合部２３から正面視略コ字状の開口方向とは反対方向へ突出しており、指で摘ままれる部分である。また操作部５は、平面視して前後方向に長い略長方形状であって、略長方形状の四辺のうち接合部２３とは反対側の辺は、前後方向の全長の中間部が接合部２３から最も遠ざかる円弧状となっている。また操作部５は、正面視してその上面が断面円弧状の曲面形状となっている。より詳しく言えば、上面が接合部２３から遠ざかるにつれて徐々に低くなっていく断面円弧状の曲面である。また、図７に示すように、操作部５の外面のうち第２の面板側の面（下面）は、下側に膨らむ円弧状のヒンジ部２５の下面、及び第２の面板の下面よりも上側に位置している。それ故、後で詳述する被着体８としての第２の被着体８２と操作部５の下面との係合時においては、操作部５の下面と被着体８との間にすき間Ｇが形成され、そのすき間Ｇにより連結具１を第２の被着体８２から着脱する操作が行いやすい。
【００３２】
第１の面板２１は、表裏面を平面としてある。表面は文字、模様等を施す装飾面であって、周縁部全周に対してそれよりも内側を段差状に隆起させている。また第１の面板２１は、略矩形であって、接合部２３から最も離れた一辺（右辺）にはその辺の中間部が接合部２３側へ窪む凹部２１ａを備えている。この凹部２１ａは円弧状に窪んでおり、親指の腹側（爪とは反対面側）に接しやすくしてある。
第２の面板２２も、表裏面を平面としてある。また第２の面板２２は、その大部分を占める略矩形の部分と、略矩形状の部分の接合部２３側の辺から接合部２３に近づくにつれて前後幅が前後対称的に広くなる略台形状の部分とを備えている。基本的形態のとき平面視すると、第２の面板２２の略台形状の部分は第１の面板２１の接合部２３側と重なり合い、第２の面板２２の略矩形状の部分は、第１の面板２１に重なり合う部分と、第１の面板２１から張り出す部分とが形成される。
なお第１の面板２１と第２の面板２２の裏面とは、第１の面板２１と第２の面板２２とが対向する面であり、内面とも言い、第１の面板２１の内面は下面、第２の面板２２の内面は上面である。また第１の面板２１と第２の面板２２の表面とは、各々の内面とは反対の面であり、外面とも言い、第１の面板２１の外面は上面、第２の面板２２の外面は下面である。従って連結具本体２の正面視略コ字状の外周面のうち２面を両面板２１，２２の外面が形成し、正面視略コ字状の内周面のうち２面を両面板２１，２２の内面が形成している。
【００３３】
雄要素６は、面ファスナーのフックであって、図示の例ではＪ字状である。また雄要素６は、各面板２１，２２から上又は下方向に突出し、突出した先端側で円弧状に膨らんでいる。また複数の雄要素６を所定間隔をあけて縦横に整列させたものが、雄要素列６ａである。雄要素列６ａの具体的な構造の一例が、雄要素６の具体的な構造の一例を含めて図８の拡大斜視図に示されている。説明の便宜上、図８の中において示す面板は第２の面板２２とし、符号Ｘで示す方向を横方向、符号Ｙで示す方向を縦方向とする。複数の雄要素６は、第２の面板２２の上面から縦横に間隔をあけて突出しており、各雄要素６に対して縦方向Ｙの手前側には第１の補強部６１を、縦方向Ｙの奥側には第２の補強部６２を第２の面板２２から上方向に突出している。縦方向Ｙに並んだ複数の雄要素６，６は、交互に配置された左フックと右フックである。左フックは、上方向に立ち上がると共に、その頂部を左向きに延長しながら下方に向かう形状であり、右フックは上方向に立ち上がると共に、その頂部を右向きに延長しながら下方に向かう形状である。そして第１の補強部６１は、各雄要素６の頂部付近まで第２の面板２２から突出し、第２の補強部６２は、第１の補強部６１よりも低い位置まで第２の面板２２から突出している。このような第１の補強部６１、左フックの雄要素６、第２の補強部６２、第１の補強部６１、右フックの雄要素６、第２の補強部６２が、この順番を繰り返して縦方向Ｙに一直線に並んでおり、これらは縦方向Ｙに一体成形されている。この第１の補強部６１と第２の補強部６２に雄要素６は挟まれることにより、雄要素６が雌要素（図示せず）から外れる際や、雄要素６が金型からの型抜き時に外れる際に、雄要素６の耐久性を高めてある。このようにして縦方向Ｙに一体成形されたものが、横方向Ｘに間隔をおいて形成されて、雄要素例６ａが形成されている。
【００３４】
外側雄要素群３は、第１の面板２１の外面の周縁部を除く領域に、雄要素列６ａを複数列前後方向に所定間隔をあけて並列させたものである。
【００３５】
内側雄要素群４は、第１の面板２１の内面から突出する多数の雄要素６からなる第１の内側雄要素群４１と、第２の面板２２の内面から突出する多数の雄要素６からなる第２の内側雄要素群４２とを備える。第１の内側雄要素群４１は、第１の面板２１の内面の周縁部を除く領域に、雄要素列６ａを複数列前後方向に所定間隔をあけて並列させたものである。第２の内側雄要素群４２は、第２の面板２２の外面の周縁部を除く領域に、雄要素列６ａを複数列前後方向に所定間隔をあけて並列させたものである。
【００３６】
上記した連結具１は、合成樹脂（例えば、ポリプロピレン等の熱可塑性材料、或いは、ポリスチレン系、ポリオレフィン系、ポリウレタン系、ポリエステル系、ポリアミド系、ポリ塩化ビニル系などの熱可塑性樹脂ゴム弾性体など）により一体成型されたものである。つまり連結具本体２と操作部５と外側雄要素群３と内側雄要素群４とは射出成型によって一体成形される。外側雄要素群３と内側雄要素群４は、成型時にはアンダーカットである。従って連結具１を金型から型抜きをするために、エジェクタピンが金型の本体から出没する構造となっている。そしてエジェクタピンが連結具１を押し出す箇所を形成するために、前述したように第１の面板２１や第２の面板２２には周縁部を除く領域において雄要素列６ａが所定間隔をあけて並列されており、この周縁部と所定間隔の部分が押出し箇所となる。
【００３７】
上記した本発明の第１実施形態の連結具１は、図１、図７に示すように、被着体８としての第１の被着体８１及び第２の被着体８２に取り付けられる。第１の被着体８１と第２の被着体８２は、ストラップであって、生地自体の表裏面には多数の被係合要素としての雌要素９からなる面ファスナーの雌要素群９ａを備えている。雌要素９は生地の表面に突出するループであり、このループが雄要素６としてのフックに係合して連結される。
【００３８】
上記した第１実施形態の連結具１は、以下のようにして被着体８に装着される。まず第１の被着体８１に連結具１を装着するために、使用者は、第１の面板２１と第２の面板２２とを開いておき、第１の被着体８１の端面を中板２４の内面に面で接触する状態として位置決めしながら、第２の面板２２の上に第１の被着体８１を載せる。そして、第１の面板２１を閉じて、第１の被着体８１の端部をその表裏面側から第１の面板２１と第２の面板２２とで挟むようにする。すると、第１の面板２１と第２の面板２２との内側雄要素群４が第１の被着体８１の雌要素群９ａに係合して連結される。このとき連結具１は、正面視して略コ字状となる。次に第２の被着体８２に連結具１を装着するために、第２の面板２２の外側雄要素群３を第２の被着体８２の表裏面の片面に押し当てると、外側雄要素群３が第２の被着体８２の雌要素群９ａに係合して連結される。以上により第１の被着体８１と第２の被着体８２は、連結具１を介して連結されたものとなる。
【００３９】
本発明の第１実施形態の連結具１の変形例は、図９、図１０に示すように、接合部２３以外は第１実施形態と同じである。この接合部２３の中板２４は、第１の面板２１と第２の面板２２における接合部２３側の辺の全長（前後方向全長）に亘って延びているが、中板２４と第１の面板２１とを接続するヒンジ部２５、並びに中板２４と第２の面板２２とを接続するヒンジ部２５は、いずれも２つである。各々２つのヒンジ部２５，２５が第１の面板２１又は第２の面板２２と中板２４とを前後方向の両端部において接続している。従って各々２つのヒンジ部２５，２５の間は、空間部２６となっている。この第１実施形態の連結具１の変形例は、前述した第１実施形態の連結具１と同様に、一体成型されたものである。従って連結具本体２が正面視略コ字状の形態となっているときに、成型時の形態に戻ろうとする復元力がヒンジ部２５に作用する。この復元力が、第１実施形態の連結具１で生じる復元力に比べると、小さくなっている。より詳しく言えば、各ヒンジ部２５は、第１の面板２１又は第２の面板２２に接続している前後方向の全長が短くなっているので、第１実施形態の連結具１の変形例で生じる復元力は、第１実施形態の連結具１で生じる復元力に比べると、小さくなっている。したがって、第１実施形態の連結具１の変形例は、第１実施形態の連結具１に比べて、正面視コ字状となっている形態（第１の被着体８１に連結している形態）を維持し易いものである。ヒンジ部２５、空間部２６の大きさ、形態などを変えることにより、ヒンジ部２５に作用する復元力を調整できる。
【００４０】
本発明の第２実施形態の連結具１は、図１１〜図１５に示すように、連結具本体２と、連結具本体２の基本形態としての正面視略コ字状の外周面から突出する外側雄要素群３と、正面視略コ字状の内周面から突出する内側雄要素群４とを備えている点、連結具本体２が接合部２３を中心にして第１の面板２１と第２の面板２２とを開閉可能である点では第１実施形態と同じであり、操作部５を備えていない点では第１実施形態と相違する。また本発明の第２実施形態の連結具１は、第１の面板２１と第２の面板２２の形状、並びに接合部２３の数について、第１実施形態の連結具１と相違するものである。以下相違する点について詳述する。
【００４１】
第１の面板２１は略台形状であって、台形を形成する平行な２辺のうち長辺を接合部２３側の辺とし、平行な２辺のうち短辺を接合部２３から最も遠い辺としてある。また第２の面板２２は略長方形状である。
接合部２３は、２つ設けられている。すなわち２つの接合部２３，２３は、第１の面板２１と第２の面板２２における接合部２３側の全長の前後両側に離隔して配置されている。従って２つの接合部２３，２３の間は、空間部２６である。各接合部２３は、中板２４と、中板２４の上下端部と第１の面板２１又は第２の面板２２を繋ぐ一対のヒンジ部２５とを備えている。中板２４は、第１の面板２１及び第２の面板２２と略同じ肉厚としており、これらに対して各ヒンジ部２５は、肉厚を薄くし、円弧状に湾曲する形態と一直線に延びる形態との変形を可能としてある。
【００４２】
第２実施形態の連結具１も、第１実施形態の連結具１と同様にして、使用者は第１の被着体８１と第２の被着体８２とに連結具１を連結する。この場合も中板２４と第１の被着体８１の端面とを面で接触する状態で位置決めできる。
【００４３】
本発明の第３実施形態の連結具１は、図１６〜図１９に示すように、連結具本体２と、連結具本体２の基本形態としての正面視略コ字状の外周面から突出する外側雄要素群３と、正面視略コ字状の内周面から突出する内側雄要素群４とを備えている点、連結具本体２が接合部２３を中心にして第１の面板２１と第２の面板２２とを開閉可能としてある点では第１実施形態と同じであり、接合部２３がヒンジ部２５のみから構成されている点、操作部５を備えていない点、並びに被着体８としての第１の被着体８１の端面を位置決めするストッパー２９を備える点では第１実施形態と相違する。また本発明の第３実施形態の連結具１は、第１の面板２１と第２の面板２２の形状、並びに接合部２３の形成範囲ついて、第１実施形態の連結具１と相違するものである。以下相違する点について詳述する。
【００４４】
ストッパー２９は、連結具本体２の基本形態の状態において、第１の面板２１と第２の面板２２のうち一方における接合部２３側の端部から対向する面板へ向かって突出しており、図示の例では第２の面板２２の内面における接合部２３側の端部から第１の面板２１へ向かって突出している。またストッパー２９は、前後方向に沿って延長しており、第２の面板２２の前後方向の全長のうち前後端部を除いた範囲に形成してある。
【００４５】
第１の面板２１は、正面視して接合部２３側の端部を円弧面状に湾曲する形状としてある。より詳しく言えば、第１の面板２１の接合部２３側の端部は、その上面側が膨らむような円弧面であって、正面視略コ字状の連結具本体２の基本形態の状態において、第２の面板２２への上下間隔が接合部２３に近づくにつれて徐々に狭まるような円弧面である。また第１の面板２１は、平面視して略矩形状とし、その矩形の接合部２３側の辺が半円状に膨らむ形状となっている。しかも矩形の四辺のうち接合部２３から最も遠い辺には凹部２１ａが形成されている。
また第２の面板２２は、平面視して略矩形状であって、矩形の四辺のうち接合部２３側の辺を半円状に膨らむ形状としてある。従って成型時の形態であれば、接合部２３の両側に第１の面板２１の半円状の辺と第２の面板２２の半円状の辺とが対向することになり、これら半円状の２つの辺の前後方向中央部が接合部２３で接続されている。つまりこれら半円状の２つの辺の前後方向中央部が接合部２３の形成範囲となる。また接合部２３は、全部をヒンジ部２５としており、第１実施形態での中板２４を備えていない。
【００４６】
第３実施形態の連結具１も、第１実施形態の連結具１と同様にして、使用者は第１の被着体８１と第２の被着体８２とに連結具１を連結する。この場合にはストッパー２９と第１の被着体８１の端面とを面で接触する状態で位置決めできる。
【００４７】
本発明の第４実施形態の連結具１は、図２０〜図２４に示すように、連結具本体２と、連結具本体２の基本形態としての正面視略コ字状の外周面から突出する外側雄要素群３と、正面視略コ字状の内周面から突出する内側雄要素群４と、操作部５を備えている点では第１実施形態と同じであり、連結具本体２が平時には正面視略コ字状である点すなわち連結具本体２が開閉可能ではない点では第１実施形態と相違する。また本発明の第４実施形態の連結具１は、第１の面板２１と第２の面板２２の形状、並びに接合部２３の形成範囲ついて、第１実施形態の連結具１と相違するものである。以下相違する点について詳述する。
【００４８】
連結具本体２は、平面視して略矩形の枠状の第１の面板２１と、第１の面板２１の枠の内側に形成される開口部２１ｂの下側に大部分が配置される第２の面板２２と、第１の面板２１と第２の面板２２との同じ側の端部であって対向する部分の間を連結する接合部２３とを備えている。また連結具本体２は、弾性部材であって、合成樹脂（例えば、ポリプロピレン等の熱可塑性材料、或いは、ポリスチレン系、ポリオレフィン系、ポリウレタン系、ポリエステル系、ポリアミド系、ポリ塩化ビニル系などの熱可塑性樹脂ゴム弾性体など）の射出成型により一体成型されたものである。連結具本体２は、正面視した場合に平時には略コ字状であり、弾性によって略コ字状の開口幅（上下幅）を一時的に変更可能としている。
【００４９】
平面視した場合に、第１の面板２１と第２の面板２２とは、接合部２３側の端部だけで重なり合っている。つまり第１の面板２１と第２の面板２２とは互いの大部分において重なり合っていない。
より詳しく言えば、第１の面板２１は、平面視して略矩形の枠状のうちコ字状の部分が、第２の面板２２とは重なり合っておらず、このコ字状の部分の内面（下面）に第１の内側雄要素群４１を形成してある。図示の例では第１の面板２１は、コ字状の部分における両端部の内面に第１の内側雄要素群４１を形成してある。
また第２の面板２２の大部分は、開口部２１ｂの真下に位置しているので、第１の面板２１と重なり合っておらず、この大部分の内面（上面）に第２の内側雄要素群４２を形成してある。従って平面視した場合には第１の内側雄要素群４１の形成領域と第２の内側雄要素群４２の形成領域とは、分かれている。なお外側雄要素群３は、第２の面板２２の外面（下面）に形成してある。
【００５０】
接合部２３は、第１の面板２１と第２の面板２２とを接続する細長い板状であって、その前後両端は第１の面板２１の前後端にまで達している。接合部２３の肉厚は、第１の面板２１や第２の面板２２と遜色のない厚みであって、図示の例では第１の面板２１や第２の面板２２よりも厚く形成されている。従って接合部２３は、第１実施形態のようなヒンジ部２５が無く、いわば中板２４だけで形成されているものと言える。
操作部５は、接合部２３から（より詳しく言えば、接合部２３の前後長の全域から）第２の面板２２とは反対側に突出する平面視略矩形状の板である。また操作部５の表面（上面）は装飾面となり、操作部５の裏面（下面）は、第２の面板２２と面一となっており、この裏面にも周縁部を除いた領域に多数の雄要素６からなる面ファスナーの雄要素群６ｂを備えている。この雄要素群６ｂも、複数の雄要素列６ａが所定間隔をあけて並列したものとなっている。
【００５１】
上記した第４実施形態の連結具１は、以下のようにして被着体８に装着される。まず第１の被着体８１に連結具１を装着するために、使用者は、連結具１の弾性を利用して第１の面板２１と第２の面板２２とを開口幅が広がるように押し開く。そして第１の被着体８１の端面を接合部２３の内面に面で接触する状態として位置決めしながら、押し開く力を緩めると、第１の面板２１と第２の面板２２との開口幅が連結具１の復元力によって狭まり、第１の被着体８１の端部がその表裏面側から第１の面板２１と第２の面板２２とで挟まれる。すると、第１の面板２１と第２の面板２２との内側雄要素群４が第１の被着体８１の雌要素群９ａに係合して連結される。このとき連結具１は、正面視して略コ字状となる。次に第２の被着体８２に連結具１を装着するために、第２の面板２２の外側雄要素群３と操作部５の雄要素群６ｂを第２の被着体８２の表裏面の片面に押し当てると、外側雄要素群３と雄要素群６ｂとが第２の被着体８２の雌要素群９ａに係合して連結される。以上により第１の被着体８１と第２の被着体８２は、連結具１を介して連結されたものとなる。
【００５２】
なお本発明の連結具１は正面視略コ字状の内周面に被着体８の端部を連結して使用するものである。そして被着体８の端部とは、図２５に示すように被着体８の長手方向の端部であっても良いし、図２６に示すように被着体８の幅方向の端部であっても良い。
【００５３】
また本発明の連結具１に用いる被着体８は、第１の面板２１と第２の面板２２に挟まれる部分については、雌要素９となる部分（例えばループ状の形態の部分）があればよく、図２７に示すようにストラップであっても良いし、図２８に示すように、表面にループ状の形態を備えた生地（例えばニット、不織布なども含む）の包帯やテープであっても良いし、図２９に示すように衣服の一対の合わせ目であっても良い。
【００５４】
本発明は上記実施形態に限定されるものではなく、その趣旨を逸脱しない範囲において適宜変更可能である。例えば連結具１の形状は、正面視略矩形状に限らず、円形等の他形状であっても良い。さらに、被着体８の一端部表裏を多数の被係合要素としての雄要素（繊維性のフック材）６からなる雄要素群６ｂとし、一端部以外の表裏を雌要素９からなる雌要素群９ａから形成し、一方、連結具１は連結具本体２の外周面に多数の係合要素としての雌要素９からなる面ファスナー片の雌要素群９ａを貼着してなるものとすることも可能である。また連結具本体２の外周面には多数の係合要素６を備えるものに限らず、１つ又は複数（多数とは言い難い程度の数量）の係合要素６を備えるものであっても良い。図示しないが、この場合の係合要素６の一例としてはキノコ状のボタン部材が挙げられる。ボタン部材の一例は、連結具本体１の外周面から突出する棒状の軸部と、軸部の先端部で傘状に広がる頭部とを備えるものである。この場合被着体８としての第２の被着体８２には被係合要素としての係合孔（生地の厚み方向に貫通する係合孔）を備えるものとし、この係合孔に軸部を貫通させた状態で連結具本体２と頭部との間に第２の被着体８２を挟むようにして、連結具１と第２の被着体８２を連結することができる。従って係合要素は、雄要素６や雌要素９に限られない。
【符号の説明】
【００５５】
１  連結具
２  連結具本体
２１  第１の面板
２１ａ凹部
２１ｂ開口部
２２  第２の面板
２３  接合部
２４  中板
２５  ヒンジ部
２６  空間部
２９  ストッパー
３  外側雄要素群
４  内側雄要素群
４１第１の内側雄要素群
４２第２の内側雄要素群
５  操作部
６  雄要素
６ａ雄要素列
６ｂ雄要素群
６１  第１の補強部
６２  第２の補強部
８  被着体
８１第１の被着体
８２第２の被着体
９  雌要素
９ａ雌要素群
Ｇ  すき間
Ｘ  横方向
Ｙ  縦方向
【図１】
2014196005.tif 000003
【図２】
2014196005.tif 000004
【図３】
2014196005.tif 000005
【図４】
2014196005.tif 000006
【図５】
2014196005.tif 000007
【図６】
2014196005.tif 000008
【図７】
2014196005.tif 000009
【図８】
2014196005.tif 000010
【図９】
2014196005.tif 000011
【図１０】
2014196005.tif 000012
【図１１】
2014196005.tif 000013
【図１２】
2014196005.tif 000014
【図１３】
2014196005.tif 000015
【図１４】
2014196005.tif 000016
【図１５】
2014196005.tif 000017
【図１６】
2014196005.tif 000018
【図１７】
2014196005.tif 000019
【図１８】
2014196005.tif 000020
【図１９】
2014196005.tif 000021
【図２０】
2014196005.tif 000022
【図２１】
2014196005.tif 000023
【図２２】
2014196005.tif 000024
【図２３】
2014196005.tif 000025
【図２４】
2014196005.tif 000026
【図２５】
2014196005.tif 000027
【図２６】
2014196005.tif 000028
【図２７】
2014196005.tif 000029
【図２８】
2014196005.tif 000030
【図２９】
2014196005.tif 000031
【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
正面視略コ字状の連結具本体（２）と、
前記連結具本体（２）の前記正面視略コ字状の外周面から突出する係合要素（６）としての雄要素（６）と、
前記正面視略コ字状の内周面から突出する多数の雄要素（６）からなる面ファスナーの内側雄要素群（４）とを備える連結具（１）であって、前記連結具本体（２）と前記係合要素としての前記雄要素（６）と前記内側雄要素群（４）とを一体成型してある連結具（１）と、
多数の雌要素（９）からなる面ファスナーの雌要素群（９ａ）を備える被着体（８）とを備え、
前記連結具（１）は、前記被着体（８）の端部における表裏面を挟む状態で装着され、前記内側雄要素群（４）を前記被着体（８）の雌要素群（９ａ）に係合させて連結することを特徴とする被着体と連結具との連結構造。
【請求項２】
前記被着体（８）はその表裏面に前記雌要素群（９ａ）を備え、
前記連結具（１）は、前記連結具本体（２）と、前記連結具本体（２）の前記正面視略コ字状の外周面から突出する多数の前記係合要素（６）としての前記雄要素（６）からなる面ファスナーの外側雄要素群（３）と、前記内側雄要素群（４）とを備えると共に、前記連結具本体（２）と前記外側雄要素群（３）と前記内側雄要素群（４）とを一体成型してあることを特徴とする請求項１記載の被着体と連結具との連結構造。
【請求項３】
正面視略コ字状の連結具本体（２）と、
前記連結具本体（２）の前記正面視略コ字状の外周面から突出する前記係合要素（６）としての前記雄要素（６）と、
前記正面視略コ字状の内周面から突出する多数の雄要素（６）からなる面ファスナーの内側雄要素群（４）とを備え、
前記連結具本体（２）と前記係合要素（６）としての前記雄要素（６）と前記内側雄要素群（４）とを一体成型してあることを特徴とする連結具。
【請求項４】
前記連結具本体（２）と、前記連結具本体（２）の前記正面視略コ字状の外周面から突出する多数の前記係合要素（６）としての前記雄要素（６）からなる面ファスナーの外側雄要素群（３）と、前記内側雄要素群（４）とを備えると共に、前記連結具本体（２）と前記外側雄要素群（３）と前記内側雄要素群（４）とを一体成型してあることを特徴とする請求項３記載の連結具。
【請求項５】
略平行で且つ対向する第１の面板（２１）及び第２の面板（２２）と、前記第１の面板（２１）と前記第２の面板（２２）の同じ側の端部を連結する接合部（２３）とから正面視略コ字状を形作る連結具本体（２）と、
前記正面視略コ字状の外周面であって前記第１の面板（２１）と前記第２の面板（２２）との少なくとも一方の外面から突出する前記係合要素（６）としての前記雄要素（６）と、
前記正面視略コ字状の内周面であって前記第１の面板（２１）と前記第２の面板（２２）との少なくとも一方の内面から突出する多数の雄要素（６）からなる面ファスナーの内側雄要素群（４）とを備え、
前記接合部（２３）は、少なくとも一部にヒンジ部（２５）を備え、
前記ヒンジ部（２５）は、前記接合部（２３）を中心にして前記第１の面板（２１）と前記第２の面板（２２）とを開閉可能にすると共に、前記第１の面板（２１）と前記接合部（２３）と前記第２の面板（２２）とを一列に並べた状態で前記連結具本体（２）と前記外側雄要素群（３）と前記内側雄要素群（４）とを一体成型することを可能とすることを特徴とする請求項３又は４記載の連結具。
【請求項６】
前記内側雄要素群（４）は、前記第１の面板（２１）の内面から突出する多数の前記雄要素（６）からなる第１の内側雄要素群（４１）と、前記第２の面板（２２）の内面から突出する多数の前記雄要素（６）からなる第２の内側雄要素群（４２）とを備えることを特徴とする請求項５記載の連結具。
【請求項７】
略平行な第１の面板（２１）及び第２の面板（２２）と、前記第１の面板（２１）と前記第２の面板（２２）の同じ側の端部を連結する接合部（２３）とから正面視略コ字状を形作る連結具本体（２）と、
前記正面視略コ字状の外周面であって前記第１の面板（２１）と前記第２の面板（２２）との少なくとも一方の外面から突出する前記係合要素（６）としての前記雄要素（６）と、
前記正面視略コ字状の内周面であって前記第１の面板（２１）と前記第２の面板（２２）の両方の内面から突出する多数の雄要素（６）からなる面ファスナーの内側雄要素群（４）とを備え、
前記内側雄要素群（４）は、前記第１の面板（２１）の内面から突出する多数の前記雄要素（６）からなる第１の内側雄要素群（４１）と、前記第２の面板（２２）の内面から突出する多数の前記雄要素（６）からなる第２の内側雄要素群（４２）とを備え、
前記連結具本体（２）は、弾性部材であって、正面視した場合に平時には略コ字状であり、
平面視した場合には、前記第１の面板（２１）と前記第２の面板（２２）とは、前記接合部（２３）側の端部同士を重なり合う重合部とそれぞれし、それ以外の部分同士を重なり合わない非重合部とそれぞれするものであり、
前記第１の面板（２１）の内面のうち前記非重合部を前記第１の内側雄要素群（４１）の形成領域とし、前記第２の面板（２２）のうち前記非重合部を前記第２の内側雄要素群（４２）の形成領域としてあること特徴とする請求項３又は４記載の連結具。
【請求項８】
前記連結具本体（２）の前記接合部（２３）から前記正面視略コ字状の開口方向とは異なる方向へ突出する操作部（５）を備えることを特徴とする請求項５〜７の何れかに記載の連結具。
【請求項９】
正面視略コ字状の連結具本体（２）と、
前記連結具本体（２）の前記正面視略コ字状の外周面から突出する多数の前記係合要素（６）としての前記雄要素（６）からなる面ファスナーの外側雄要素群（３）と、
前記正面視略コ字状の内周面から突出する多数の雄要素（６）からなる面ファスナーの内側雄要素群（４）とを備え、
前記連結具本体（２）は、略平行な第１の面板（２１）及び第２の面板（２２）と、前記第１の面板（２１）と前記第２の面板（２２）の同じ側の端部を連結する接合部（２３）とから正面視略コ字状を形作るものであり、
前記係合要素（６）としての前記雄要素（６）は、前記正面視略コ字状の外周面であって前記第１の面板（２１）と前記第２の面板（２２）との少なくとも一方の外面から突出するものであり、
面ファスナーの前記内側雄要素群（４）は、前記正面視略コ字状の内周面であって前記第１の面板（２１）と前記第２の面板（２２）との少なくとも一方の内面から突出する多数の雄要素（６）からなるものであり、
前記接合部（２３）は、少なくとも一部にヒンジ部（２５）を備え、
前記ヒンジ部（２５）は、前記接合部（２３）を中心にして前記第１の面板（２１）と前記第２の面板（２２）とを開閉可能にすると共に、前記第１の面板（２１）と前記接合部（２３）と前記第２の面板（２２）とを一列に並べた状態で前記連結具本体（２）と前記外側雄要素群（３）と前記内側雄要素群（４）とを一体成型することを可能とし、
前記第１の面板（２１）と前記第２の面板（２２）との少なくとも一方には反対側の面板へ向かって突出するストッパー（２９）を、前記正面視略コ字状の開口方向とは反対側の端部に備えることを特徴とする連結具。
【手続補正２】
【補正対象書類名】明細書
【補正対象項目名】０００８
【補正方法】変更
【補正の内容】
【０００８】
本発明の被着体と連結具との連結構造は、連結具と、被着体とを備えている。
連結具は、正面視略コ字状の連結具本体と、連結具本体の正面視略コ字状の外周面から突出する係合要素としての雄要素と、正面視略コ字状の内周面から突出する多数の雄要素からなる面ファスナーの内側雄要素群とを備える。また連結具は、連結具本体と係合要素としての雄要素と内側雄要素群とを一体成型してある。
被着体は、多数の雌要素からなる面ファスナーの雌要素群を備える。
そして連結具は、被着体の端部における表裏面を挟む状態で装着され、内側雄要素群を被着体の雌要素群に係合させて連結することを特徴とする。
【手続補正３】
【補正対象書類名】明細書
【補正対象項目名】０００９
【補正方法】変更
【補正の内容】
【０００９】
また係合要素としての雄要素が設けられる連結具本体の外周面に対して被着体を容易に着脱すると共に、連結具の成形を容易にするには、次のようにすることが望ましい。
すなわち被着体はその表裏面に前記雌要素群を備えるものとする。また連結具は、連結具本体と、連結具本体の正面視略コ字状の外周面から突出する多数の係合要素としての雄要素からなる面ファスナーの外側雄要素群と、内側雄要素群とを備えると共に、連結具本体と外側雄要素群と内側雄要素群とを一体成型してあることである。
【手続補正４】
【補正対象書類名】明細書
【補正対象項目名】００１０
【補正方法】変更
【補正の内容】
【００１０】
次に本発明の連結具について述べる。本発明の連結具は、前記したように、正面視略コ字状の連結具本体と、連結具本体の正面視略コ字状の外周面から突出する係合要素としての雄要素と、正面視略コ字状の内周面から突出する多数の雄要素からなる面ファスナーの内側雄要素群とを備え、連結具本体と係合要素としての雄要素と内側雄要素群とを一体成型してあることを特徴とする。
【手続補正５】
【補正対象書類名】明細書
【補正対象項目名】００１１
【補正方法】変更
【補正の内容】
【００１１】
また係合要素としての雄要素が設けられる連結具本体の外周面に対して被着体を容易に着脱すると共に、連結具の成形を容易にするには、次のようにすることが望ましい。
すなわち、連結具は、連結具本体と、連結具本体の正面視略コ字状の外周面から突出する多数の係合要素としての雄要素からなる面ファスナーの外側雄要素群と、内側雄要素群とを備えると共に、連結具本体と外側雄要素群と内側雄要素群とを一体成型してあることである。
【手続補正６】
【補正対象書類名】明細書
【補正対象項目名】００１２
【補正方法】変更
【補正の内容】
【００１２】
また連結具は、その形態を変形可能なものとして、以下のものがある。
すなわち連結具は、略平行で且つ対向する第１の面板及び第２の面板と、第１の面板と第２の面板の同じ側の端部を連結する接合部とから正面視略コ字状を形作る連結具本体と、正面視略コ字状の外周面であって第１の面板と第２の面板との少なくとも一方の外面から突出する係合要素としての雄要素と、正面視略コ字状の内周面であって第１の面板と第２の面板との少なくとも一方の内面から突出する多数の雄要素からなる面ファスナーの内側雄要素群とを備えるものとする。接合部は、少なくとも一部にヒンジ部を備える。ヒンジ部は、接合部を中心にして第１の面板と第２の面板とを開閉可能にすると共に、第１の面板と接合部と第２の面板とを一列に並べた状態で連結具本体と外側雄要素群と内側雄要素群とを一体成型することを可能とするものである。
【手続補正７】
【補正対象書類名】明細書
【補正対象項目名】００１３
【補正方法】変更
【補正の内容】
【００１３】
また内側雄要素群は、正面視略コ字状の内周面から突出していれば良く、例えば第１の面板と第２の面板の一方にのみ突出するものであっても良いが、被着体に対してより強固に連結するには次のようにすることが望ましい。
すなわち内側雄要素群は、第１の面板の内面から突出する多数の雄要素からなる第１の内側雄要素群と、第２の面板の内面から突出する多数の雄要素からなる第２の内側雄要素群とを備えることである。
【手続補正８】
【補正対象書類名】明細書
【補正対象項目名】００１４
【補正方法】変更
【補正の内容】
【００１４】
また連結具は、その形態を殆ど変形不能なものとして、以下のものがある。
すなわち連結具は、略平行な第１の面板及び第２の面板と、第１の面板と第２の面板の同じ側の端部を連結する接合部とから正面視略コ字状を形作る連結具本体と、正面視略コ字状の外周面であって第１の面板と第２の面板との少なくとも一方の外面から突出する係合要素としての雄要素と、正面視略コ字状の内周面であって第１の面板と第２の面板の両方の内面から突出する多数の雄要素からなる面ファスナーの内側雄要素群とを備えるものとする。内側雄要素群は、第１の面板の内面から突出する多数の雄要素からなる第１の内側雄要素群と、第２の面板の内面から突出する多数の雄要素からなる第２の内側雄要素群とを備える。連結具本体は、弾性部材であって、正面視した場合に平時には略コ字状であり、平面視した場合には、第１の面板と第２の面板とは、接合部側の端部同士を重なり合う重合部とそれぞれし、それ以外の部分同士を重なり合わない非重合部とそれぞれするものであり、第１の面板の内面のうち非重合部を第１の内側雄要素群の形成領域とし、第２の面板のうち非重合部を第２の内側雄要素群の形成領域としてある。
【手続補正９】
【補正対象書類名】明細書
【補正対象項目名】００１５
【補正方法】変更
【補正の内容】
【００１５】
さらに連結具は、連結具本体の外周面であって接合部の外面には何も備えていない構成であっても良いが、連結具を取扱い易くするには次のようにすることが望ましい。
すなわち連結具は、連結具本体の接合部から正面視略コ字状の開口方向とは異なる方向へ突出する操作部を備えることである。
【手続補正１０】
【補正対象書類名】明細書
【補正対象項目名】００１６
【補正方法】変更
【補正の内容】
【００１６】
さらに本発明の連結具は、被着体を位置決めして収容するには次のようにする。
すなわち連結具は、正面視略コ字状の連結具本体と、連結具本体の正面視略コ字状の外周面から突出する多数の係合要素としての雄要素からなる面ファスナーの外側雄要素群と、正面視略コ字状の内周面から突出する多数の雄要素からなる面ファスナーの内側雄要素群とを備えるものとする。連結具本体は、略平行な第１の面板及び第２の面板と、第１の面板と第２の面板の同じ側の端部を連結する接合部とから正面視略コ字状を形作るものである。係合要素としての雄要素は、正面視略コ字状の外周面であって第１の面板と第２の面板との少なくとも一方の外面から突出するものである。面ファスナーの内側雄要素群は、正面視略コ字状の内周面であって第１の面板と第２の面板との少なくとも一方の内面から突出する多数の雄要素からなるものである。接合部は、少なくとも一部にヒンジ部を備える。ヒンジ部は、接合部を中心にして第１の面板と第２の面板とを開閉可能にすると共に、第１の面板と接合部と第２の面板）とを一列に並べた状態で連結具本体と外側雄要素群と内側雄要素群とを一体成型することを可能とする。第１の面板と第２の面板との少なくとも一方には反対側の面板へ向かって突出するストッパーを、前記正面視略コ字状の開口方向とは反対側の端部に備えるものである。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】
本発明の被着体と連結具との連結構造、及び本発明の連結具によれば、連結具本体の内周面に備わる面ファスナーとしての内側雄要素群により、面ファスナーの雌要素群を備える被着体を連結具の内側へ着脱する作業が従来に比べて容易に行える。また連結具本体の外周面に備わる係合要素により、別の被着体へ取り付けることもできる。しかも連結具本体と内側雄要素群とを一体成型してあるので、連結具の成形も容易である。また係合要素が雄要素の場合、連結具本体と係合要素としての雄要素と内側雄要素群とを一体成型してあるので、連結具の成形も容易である。
【手続補正１３】
【補正対象書類名】明細書
【補正対象項目名】００２０
【補正方法】変更
【補正の内容】
【００２０】
さらに連結具は、略平行で且つ対向する第１の面板及び第２の面板と、第１の面板と第２の面板とを連結する接合部とから連結具本体を正面視略コ字状を形作るものとし、第１の面板と第２の面板の少なくとも一方の内面には内側雄要素群を備え、接合部が少なくとも一部にヒンジ部を備えているものであれば、雌要素群を備える被着体を連結具本体の内側へ着脱する作業が容易に行えるし、第１の面板と接合部と第２の面板とを一列に並べた状態で連結具を一体成型できる。
【手続補正１４】
【補正対象書類名】明細書
【補正対象項目名】００２２
【補正方法】変更
【補正の内容】
【００２２】
さらに連結具は、連結具本体が、弾性部材であって、正面視した場合に平時には第１の面板と第２の面板と接合部とから正面視略コ字状をなすものであれば、弾性によって略コ字状の開口幅を一時的に変更することにより、略コ字状の内側に被着体を連結できる。しかも平面視した場合には、第１の面板と第２の面板とが重なり合わない非重合部のうち第１の面板の非重合部を第１の内側雄要素群の形成領域とし、第２の面板の非重合部を第２の内側雄要素群の形成領域としてあるので、連結具を一体成型することもできる。
【手続補正１５】
【補正対象書類名】明細書
【補正対象項目名】００２３
【補正方法】変更
【補正の内容】
【００２３】
また連結具は、連結具本体の接合部から正面視略コ字状の開口方向とは異なる方向へ突出する操作部を備えるものであれば、連結具が取り扱いやすくなる。
【手続補正１６】
【補正対象書類名】明細書
【補正対象項目名】００２４
【補正方法】変更
【補正の内容】
【００２４】
また連結具は、第１の面板と第２の面板との少なくとも一方にはストッパーを備えるものであれば、被着体の端面をストッパーで位置決めして、連結具の内側に被着体を連結することができる。
【手続補正１７】
【補正対象書類名】明細書
【補正対象項目名】００２５
【補正方法】削除
【補正の内容】
【国際調査報告】
2014196005.tif 000032
2014196005.tif 000033
2014196005.tif 000034
2014196005.tif 000035